(57)【要約】【課題】ころを円滑に転動させることができ、かつ、間座の破損のおそれを低減した円錐ころ軸受を提供する。【解決手段】円錐ころ軸受は、外輪と、内輪と、外輪および内輪の間で周方向に連ねて配置される複数の円錐ころ２４ａ、２４ｂと、隣接する円錐ころ２４ａ、２４ｂの間に配置され、ころピッチ円直径において隣接する円錐ころ２４ａ、２４ｂに当接する面の間隔が円錐ころ２４ａ、２４ｂの小径側端面から大径側端面に向かって徐々に大きくなっている複数の間座１１を含み、この複数の間座１１が互いに分離して設けられている間座型保持器とを備える。間座１１の両側の側面１２ａ、１２ｂのうち、ころピッチ円直径よりも内径側および外径側には、隣接する円錐ころ２４ａ、２４ｂを案内する内径側案内面１６ａ、１６ｂおよび外径側案内面１７ａ、１７ｂが設けられている。ここで、内径側案内面１６ａ、１６ｂまたは外径側案内面１７ａ、１７ｂと円錐ころ２４ａ、２４ｂとは、２つの線で接触する。【選択図】図１
2007255569.tif 000002
【特許請求の範囲】
【請求項１】
外輪と、
内輪と、
前記外輪および前記内輪の間で周方向に連ねて配置される複数の円錐ころと、
隣接する前記円錐ころの間に配置され、ころピッチ円直径において隣接する前記円錐ころに当接する面の間隔が前記円錐ころの小径側端面から大径側端面に向かって徐々に大きくなっている複数の間座を含み、この複数の間座が互いに分離して設けられている間座型保持器とを備える円錐ころ軸受であって、
前記間座の両側の側面のうち、ころピッチ円直径よりも内径側および外径側には、隣接する前記円錐ころを案内する内径側案内面および外径側案内面が設けられており、
前記内径側案内面または前記外径側案内面と隣接する２つの円錐ころとは、２つの線で接触する、円錐ころ軸受。
【請求項２】
前記内径側および外径側案内面は、その断面が円弧状であり、
前記円弧の曲率半径は、隣接する前記円錐ころの曲率半径よりも大きく、
前記円弧の曲率中心は、ころピッチ円直径よりも内径側または外径側にある、請求項１に記載の円錐ころ軸受。
【請求項３】
前記円弧の曲率半径をＲ１とし、前記円錐ころの曲率半径をＲ２とすると、
１．０２Ｒ２＜Ｒ１＜１．１５Ｒ２の関係を有する、請求項２に記載の円錐ころ軸受。
【請求項４】
前記内径側および外径側案内面は、平面である、請求項１に記載の円錐ころ軸受。
【請求項５】
隣接する前記円錐ころが前記内径側または外径側案内面に接触する接触点と隣接する前記円錐ころの中心軸線とを含む平面と、ころピッチ円直径に接し、隣接する前記円錐ころの中心軸線を含む平面とのなす角度をθ°とすると、
４０°＜θ°＜７０°の関係を有する、請求項１〜４のいずれかに記載の円錐ころ軸受。
【請求項６】
同じ側面に設けられた前記内径側および外径側案内面の間には、油溜まりが設けられている、請求項１〜５のいずれかに記載の円錐ころ軸受。
【請求項７】
隣接する円錐ころの間に配置されたときに、ころピッチ円直径において隣接する前記円錐ころに当接する面の間隔が前記円錐ころの小径側端面から大径側端面に向かって徐々に大きくなっている間座であって、
前記間座の両側の側面のうち、ころピッチ円直径よりも内径側および外径側には、隣接する前記円錐ころを案内する内径側案内面および外径側案内面が設けられており、
前記内径側案内面または前記外径側案内面と隣接する２つの円錐ころとは、２つの線で接触する、間座。
【請求項８】
風力を受けるブレードと、
その一端が前記ブレードに固定され、ブレードとともに回転する主軸と、
固定部材に組み込まれ、前記主軸を回転自在に支持する円錐ころ軸受とを有する風力発電機の主軸支持構造であって、
前記円錐ころ軸受は、外輪と、内輪と、前記外輪および前記内輪の間で周方向に連ねて配置される複数の円錐ころと、隣接する前記円錐ころの間に配置され、ころピッチ円直径において隣接する前記円錐ころに当接する面の間隔が前記円錐ころの小径側端面から大径側端面に向かって徐々に大きくなっている複数の間座を含み、この複数の間座が互いに分離して設けられている間座型保持器とを備え、
前記間座の両側の側面のうち、ころピッチ円直径よりも内径側および外径側には、隣接する前記円錐ころを案内する内径側案内面および外径側案内面が設けられており、
前記内径側案内面または前記外径側案内面と隣接する２つの円錐ころとは、２つの線で接触する、風力発電機の主軸支持構造。
【発明の詳細な説明】
【技術分野】
【０００１】
この発明は、円錐ころ軸受、間座および風力発電機の主軸支持構造に関し、特に、大型の円錐ころ軸受、これに含まれる間座および大型の風力発電機の主軸支持構造に関するものである。
【背景技術】
【０００２】
ころ軸受は、一般的には、外輪と、内輪と、外輪および内輪の間に配置される複数のころと、複数のころを保持する保持器とから構成される。ころを保持する保持器については、その材質や製造方法等により、プレス保持器、削り保持器、溶接保持器、ピン型保持器等、様々な種類があり、それぞれ用途や特性に応じて使い分けられている。また、保持器は通常、一体型、すなわち、環状の一つの部品で構成されている。
【０００３】
風を受けるためのブレードが取り付けられた風力発電機の主軸を支持するころ軸受については、大きな荷重を受ける必要があるため、ころ軸受自体も大型となる。そうすると、ころや保持器等、ころ軸受を構成する各構成部材も大型となり、部材の生産や組み立てが困難となる。このような場合、各部材を分割すると、生産や組み立てが容易となる。
【０００４】
ここで、玉軸受において、保持器を分割した分割型の間座タイプの保持器に関する技術が、実開平５−９２５３７号公報（特許文献１）に記載されている。
【特許文献１】実開平５−９２５３７号公報（段落番号０００７、図１）
【発明の開示】
【発明が解決しようとする課題】
【０００５】
上記した特許文献１に示す間座は、それぞれ独立しており、周方向に連結されていないため、間座が軌道輪案内である場合には、外輪および内輪の間で容易に移動し、径方向において、その位置は不安定となる。
【０００６】
具体的には、たとえば、上記した構成のころ軸受を、横向きに配置して使用した場合、間座が天の位置にあるときは、間座は、下方向に移動し、下部に位置する内輪の外径面と接触して、内輪に案内される内輪案内となる。一方、間座が地の位置にあるときは、間座は下方向に動き、下部に位置する外輪の内径面と接触して、外輪に案内される外輪案内となる。
【０００７】
このように、間座が容易に径方向に移動し、ころ軸受内における位置によって内輪案内となったり、外輪案内となったりすれば、間座の径方向の位置が不安定となり、外輪や内輪と接するときに異音が発生したり、間座が破損するおそれがある。
【０００８】
ここで、間座をころ案内とすると、外輪や内輪との接触による異音の発生や、間座の破損を低減することができる。
【０００９】
しかし、間座をころ案内とした場合においても、間座の案内面の角部と、隣接するころとが接触すると、案内面の角部が破損したり、角部ところとの摩擦が生じて、トルクが増大したり、発熱したりするおそれがある。
【００１０】
これを図７を参照して説明する。図７は、ころを保持する保持器のポケット周辺部分を、軸方向に直交する平面で切断した場合の拡大断面図である。図７を参照して、保持器１０１のポケット１０３の両側の側壁面には、ころ１０２を案内する案内面１０４が設けられている。案内面１０４は、その断面が円弧状であり、その曲率中心は、ころ１０２の曲率中心Ｑ１と同じである。すなわち、ころ１０２の円弧と案内面１０４の円弧とが同心円状に形成されている。また、案内面１０４の曲率半径Ｔ２は、ころ１０２の曲率半径Ｔ１よりも若干大きく構成されている。
【００１１】
このような構成であると、たとえば、上記した天の位置または地の位置からころ１０２が転動し始めるときに、ころ１０２は、案内面１０４と内径面１０６ａまたは外径面１０６ｂとの境界部分である角部１０５ａ、１０５ｂと接触することになる。そうすると、角部１０５ａ、１０５ｂが破損したり、角部１０５ａ、１０５ｂところ１０２との摩擦によるトルクの増大や発熱を引き起こすおそれがある。
【００１２】
ここで、図８に示すように、保持器１１１のポケット１１３の側壁面に設けられる案内面１１４の曲率半径Ｔ４を、ころ１１２の曲率半径Ｔ３よりも大きくし、案内面１１４を構成する円弧の曲率中心Ｑ３を、最もころの挙動が安定する位置であるＰＣＤ（Ｐｉｔｃｈ  Ｃｉｒｃｌｅ  Ｄｉａｍｅｔｅｒ）１１６上において、ころ１１２の曲率中心Ｑ２と異なる位置とすることによっても、上記した状態においては、保持器１１１の案内時に、角部１１５ａ、１１５ｂところ１１２とが接触することになる。したがって、角部１１５ａ、１１５ｂが破損したり、角部１１５ａ、１１５ｂところ１１２との摩擦によるトルクの増大や発熱を引き起こすおそれがある。
【００１３】
この発明の目的は、ころを円滑に転動させることができ、かつ、間座の破損のおそれを低減した円錐ころ軸受を提供することである。
【００１４】
この発明の他の目的は、ころを円滑に転動させることができ、かつ、破損のおそれの少ない間座を提供することである。
【００１５】
この発明のさらに他の目的は、長寿命を実現した風力発電機の主軸支持構造を提供することである。
【課題を解決するための手段】
【００１６】
この発明に係る円錐ころ軸受は、外輪と、内輪と、外輪および内輪の間で周方向に連ねて配置される複数の円錐ころと、隣接する円錐ころの間に配置され、ころピッチ円直径において隣接する円錐ころに当接する面の間隔が円錐ころの小径側端面から大径側端面に向かって徐々に大きくなっている複数の間座を含み、この複数の間座が互いに分離して設けられている間座型保持器とを備える。間座の両側の側面のうち、ころピッチ円直径よりも内径側および外径側には、隣接する円錐ころを案内する内径側案内面および外径側案内面が設けられている。ここで、内径側案内面または外径側案内面と隣接する２つの円錐ころとは、２つの線で接触する。
【００１７】
このように構成することにより、保持器セグメントはころ案内となり、間座が径方向に移動しようとしても、隣接する２つの円錐ころと内径側案内面、または、隣接する２つの円錐ころと外径側案内面とが２つの線で接触して、間座の移動が規制されることになる。そうすると、内径側および外径側案内面の角部と、円錐ころとが接触することはない。すなわち、上記した状態において、間座が天の位置または地の位置にあるときでも、円錐ころの転動開始時において、内径側および外径側案内面の角部と隣接する円錐ころとが接触することはない。したがって、内径側および外径側案内面の角部が破損したり、角部と円錐ころとの摩擦によるトルクの増大や発熱等を防止することができる。その結果、円錐ころを円滑に転動させることができ、かつ、間座の破損のおそれを低減することができる。
【００１８】
ここで、２つの線とは、間座を、軸方向に直交する平面で切断した場合に、間座の両側の側面のうち、内径側案内面を形成する２つの線または外径側案内面を形成する２つの線をいい、案内面と間座の外径面および内径面との交わる部分である角部（エッジ）は含まないものである。
【００１９】
好ましくは、内径側および外径側案内面は、その断面が円弧状であり、円弧の曲率半径は、隣接する円錐ころの曲率半径よりも大きく、円弧の曲率中心は、ころピッチ円直径よりも内径側または外径側にある。このように構成することにより、案内面が、断面円弧状の曲面であっても、内径側または外径側案内面と隣接する２つの円錐ころとを、２つの線で接触させることができる。したがって、円錐ころを円滑に転動させることができ、間座の破損のおそれを低減することができる。
【００２０】
さらに好ましくは、円弧の曲率半径をＲ１とし、円錐ころの曲率半径をＲ２とすると、１．０２Ｒ２＜Ｒ１＜１．１５Ｒ２の関係を有する。上記のような寸法関係を満たすことにより、適切に、間座を案内することができる。
【００２１】
また、内径側および外径側案内面は、平面であってもよい。こうすることによっても、内径側または外径側案内面と隣接する２つの円錐ころとを、２つの線で接触させることができる。
【００２２】
さらに好ましくは、隣接する円錐ころが内径側または外径側案内面に接触する接触点と隣接する円錐ころの中心軸線とを含む平面と、ころピッチ円直径に接し、隣接する円錐ころの中心軸線を含む平面とのなす角度をθ°とすると、４０°＜θ°＜７０°の関係を有する。このように構成することにより、適切に、間座を案内することができる。具体的には、θ°を４０°よりも大きくすることにより、間座の径方向の移動量を少なくすることができる。また、θ°を７０°よりも小さくすることにより、間座の周方向の移動量を少なくすることができる。
【００２３】
さらに好ましくは、同じ側面に設けられた内径側および外径側案内面の間には、油溜まりが設けられている。このように構成することにより、油溜まりに保持された潤滑剤を円錐ころに供給することができ、円錐ころを円滑に転動させることができる。
【００２４】
この発明の他の局面においては、間座は、隣接する円錐ころの間に配置されたときに、ころピッチ円直径において隣接する円錐ころに当接する面の間隔が円錐ころの小径側端面から大径側端面に向かって徐々に大きくなっている間座であって、間座の両側の側面のうち、ころピッチ円直径よりも内径側および外径側には、隣接する円錐ころを案内する内径側案内面および外径側案内面が設けられており、内径側案内面または外径側案内面と隣接する２つの円錐ころとは、２つの線で接触する。
【００２５】
このような間座は、内径側または外径側案内面と隣接する２つの円錐ころとが２つの線で接触するため、間座の案内面の角部と円錐ころとが接触することはない。そうすると、円錐ころを円滑に転動させることができ、かつ、間座の破損を防止することができる。
【００２６】
この発明のさらに他の局面においては、風力発電機の主軸支持構造は、風力を受けるブレードと、その一端がブレードに固定され、ブレードとともに回転する主軸と、固定部材に組み込まれ、主軸を回転自在に支持する円錐ころ軸受とを有する。円錐ころ軸受は、外輪と、内輪と、外輪および内輪の間で周方向に連ねて配置される複数の円錐ころと、隣接する円錐ころの間に配置され、ころピッチ円直径において隣接する円錐ころに当接する面の間隔が円錐ころの小径側端面から大径側端面に向かって徐々に大きくなっている複数の間座を含み、この複数の間座が互いに分離して設けられている間座型保持器とを備える。間座の両側の側面のうち、ころピッチ円直径よりも内径側および外径側には、隣接する円錐ころを案内する内径側案内面および外径側案内面が設けられている。ここで、内径側案内面または外径側案内面と隣接する２つの円錐ころとは、２つの線で接触する。
【００２７】
このような風力発電機の主軸支持構造は、円錐ころを円滑に転動させることができ、かつ、間座の破損のおそれが低減されたころ軸受を含むため、長寿命を実現することができる。
【発明の効果】
【００２８】
この発明によれば、保持器セグメントはころ案内となり、間座が径方向に移動しようとしても、隣接する２つの円錐ころと内径側案内面、または、隣接する２つの円錐ころと外径側案内面とが２つの線で接触して、間座の移動が規制されることになる。そうすると、内径側および外径側案内面の角部と、円錐ころとが接触することはない。すなわち、上記した状態において、間座が天の位置または地の位置にあるときでも、円錐ころの転動開始時において、内径側および外径側案内面の角部と隣接する円錐ころとが接触することはない。したがって、内径側および外径側案内面の角部が破損したり、角部と円錐ころとの摩擦によるトルクの増大や発熱等を防止することができる。その結果、円錐ころを円滑に転動させることができ、かつ、間座の破損のおそれを低減することができる。
【００２９】
また、このような間座は、内径側または外径側案内面と隣接する２つの円錐ころとが２つの線で接触するため、間座の案内面の角部と円錐ころとが接触することはない。そうすると、円錐ころを円滑に転動させることができ、かつ、間座の破損を防止することができる。
【００３０】
また、このような風力発電機の主軸支持構造は、円錐ころを円滑に転動させることができ、かつ、間座の破損のおそれが低減されたころ軸受を含むため、長寿命を実現することができる。
【発明を実施するための最良の形態】
【００３１】
以下、この発明の実施の形態を図面を参照して説明する。図２は、この発明の一実施形態に係る間座型保持器に含まれる間座１１を示す斜視図である。図２を参照して、間座１１は、外径面１４ａが外輪に対向し、内径面１４ｂが内輪に対向するよう、隣接する円錐ころの間に配置される。
【００３２】
間座１１の小径側端面１３ａ、大径側端面１３ｂには、隣接する円錐ころの間に配置したときに、円錐ころの小端面、大端面にそれぞれ当接する小径側突出部１５ａおよび大径側突出部１５ｂが設けられている。このように構成することにより、小径側突出部１５ａ、大径側突出部１５ｂを、隣接する円錐ころの小端面、大端面に当接させて、間座１１の軸方向の移動を規制することができる。
【００３３】
間座１１は、円錐ころの転動面に沿った曲面を有する側面１２ａ、１２ｂを含む。隣接する円錐ころの間に配置されたときに、ころピッチ円直径において隣接する円錐ころに当接する面である側面１２ａと側面１２ｂとの周方向の間隔は、小径側端面１３ａから大径側端面１３ｂに向かって徐々に大きくなっている。こうすることにより、隣接する円錐ころの間に間座１１を配置したときに、間座１１を円錐ころの転動面に沿うように配置することができ、円錐ころと間座１１とのころ長さ方向の間隔を一定に保つことができる。
【００３４】
ここで、間座１１の一方の側面１２ａのうち、ＰＣＤよりも内径側には、断面が円弧状である内径側案内面１６ａが設けられている。また、ＰＣＤよりも外径側には、断面が円弧状である外径側案内面１７ａが設けられている。同様に、間座１１の他方の側面１２ｂのうち、ＰＣＤよりも内径側には、内径側案内面１６ｂ、外径側には、外径側案内面１７ｂが設けられている。内径側案内面１６ａ、１６ｂおよび外径側案内面１７ａ、１７ｂの構成については、後述する。
【００３５】
図３は、図２に示した間座１１を含む間座型保持器を備える円錐ころ軸受２１を、間座１１の中央を通り、円周方向に直交する平面で切断した場合の断面図である。また、図１は、円錐ころ軸受２１に含まれる円錐ころ２４ａと、円錐ころ２４ｂと、その間に配置される間座１１を、間座１１の中央を通り、円錐ころ２４ａの中心軸線方向に直交する平面で切断した場合の断面図である。なお、理解の容易の観点から、図１において、小径側突出部１５ａ、大径側突出部１５ｂを表していない。
【００３６】
図１、図２および図３を参照して、円錐ころ軸受２１は、外輪２２と、内輪２３と、外輪２２および内輪２３の間に配置された複数の円錐ころ２４ａ、２４ｂと、隣接する円錐ころ２４ａ、２４ｂの間に配置される間座１１を複数含み、この複数の間座１１が互いに分離して設けられている間座型保持器とを備える。
【００３７】
ここで、間座１１の内径側案内面１６ａを構成する円弧の曲率半径Ｒ１は、その断面における円錐ころ２４ａの曲率半径Ｒ２よりも大きく構成されている。また、その曲率中心Ｐは、ＰＣＤ１８よりも外径側に位置するよう構成されている。同様に、間座１１の内径側案内面１６ｂを構成する円弧の曲率半径についても、その断面における円錐ころ２４ａの曲率半径Ｒ２よりも大きく構成されている。また、その曲率中心も、ＰＣＤ１８よりも外径側に位置するよう構成されている。さらに、外径側案内面１７ａ、１７ｂについても、その曲率半径は円錐ころ２４ａの曲率半径Ｒ２よりも大きく、その曲率中心は、ＰＣＤ１８よりも内径側に位置するよう構成されている。
【００３８】
すなわち、間座１１の両側の側面１２ａ、１２ｂに設けられた２つの内径側案内面１６ａ、１６ｂおよび２つの外径側案内面１７ａ、１７ｂについては、その断面は、合計４つの円弧から構成されている。なお、ここでは、理解の容易の観点から、内径側案内面１６ａ、１６ｂ、外径側案内面１７ａ、１７ｂの曲率半径を同じＲ１とする。
【００３９】
間座１１は、内径側案内面１６ａ、１６ｂにより、間座１１の外径側への移動、すなわち、図１中の矢印Ａの方向への移動が規制される。また、外径側案内面１７ａ、１７ｂにより、間座１１の内径側への移動、すなわち、図１中の矢印Ｂで示す方向への移動が規制される。これにより、間座１１は、ころ案内となる。すなわち、間座１１は、隣接する円錐ころ２４ａ、２４ｂによって案内される。
【００４０】
ここで、間座１１において、内径側案内面１６ａ、１６ｂと隣接する２つの円錐ころ２４ａ、２４ｂとは、２つの線で接触する。すなわち、間座１１が外径側に移動する際には、内径側案内面１６ａ、１６ｂを示す２つの線と、２つの円錐ころ２４ａ、２４ｂとがそれぞれ接触する。そうすると、間座１１が外径側に移動する際に、内径側案内面１６ａ、１６ｂと内径面１４ｂとの交わる部分である角部１９ａ、１９ｂと、円錐ころ２４ａ、２４ｂとが接触することはない。同様に、間座１１が内径側に移動する際には、外径側案内面１７ａ、１７ｂを示す２つの線と、２つの円錐ころ２４ａ、２４ｂとがそれぞれ接触する。そうすると、間座１１が内径側に移動する際に、外径側案内面１７ａ、１７ｂと外径面１４ａとの交わる部分である角部２０ａ、２０ｂと、円錐ころ２４ａ、２４ｂとが接触することはない。すなわち、間座１１が内径側または外径側に移動する際に、円錐ころ２４ａ、２４ｂと角部１９ａ、１９ｂ、２０ａ、２０ｂとが接触することはない。
【００４１】
したがって、円錐ころ２４ａ、２４ｂから角部１９ａ、１９ｂ、２０ａ、２０ｂに対して荷重が負荷されることはなく、角部１９ａ、１９ｂ、２０ａ、２０ｂの破損を防止することができる。また、角部１９ａ、１９ｂ、２０ａ、２０ｂと円錐ころ２４ａ、２４ｂとの摩擦によるトルクの増大、発熱等を防止することができる。
【００４２】
なお、この場合、Ｒ１とＲ２の関係は、１．０２Ｒ２＜Ｒ１＜１．１５Ｒ２とすることが好ましい。このように構成することにより、適切に、間座１１をころ案内とすることができる。
【００４３】
また、間座１１が外径側に移動した際に、円錐ころ２４ａが内径側案内面１６ａに接触する接触点をＳとし、Ｓと円錐ころ２４ａの中心軸線とを含む平面２９ａと、ＰＣＤ１８に接し、円錐ころ２４ａの中心軸線を含む平面２９ｂとのなす角度をθ°とすると、４０°＜θ°＜７０°の関係を有するように構成することが好ましい。
【００４４】
こうすることによって、適切に、間座１１を案内することができる。間座１１を周方向に配置する際には、間座１１の径方向および周方向の若干の移動を許容する案内すき間が設けられているが、具体的には、θ°を４０°よりも大きくすることにより、案内すき間のうち、間座１１の径方向の移動量を少なくすることができる。また、θ°を７０°よりも小さくすることにより、案内すき間のうち、間座１１の周方向の移動量を少なくすることができる。また、内径側案内面１６ｂ、外径側案内面１７ａ、１７ｂについても、同様の関係を有するように構成することが好ましい。
【００４５】
ここで、同じ側面１２ａ、１２ｂに設けられた内径側案内面１６ａと外径側案内面１７ａ、内径側案内面１６ｂと外径側案内面１７ｂとの間、いわゆる内径側案内面１６ａと外径側案内面１７ａとのつなぎ目部分、内径側案内面１６ｂと外径側案内面１７ｂとのつなぎ目部分には、油溜まり３０が設けられている。
【００４６】
このように構成することにより、内径側案内面１６ａ、１６ｂと外径側案内面１７ａ、１７ｂとのつなぎ目部分に位置する油溜まり３０に潤滑剤を保持させることができる。そうすると、油溜まり３０から隣接する２つの円錐ころ２４ａ、２４ｂに潤滑剤を供給することができ、円錐ころ２４ａ、２４ｂを円滑に転動させることができる。なお、このようなつなぎ目部分は、円錐ころ２４ａ、２４ｂと接触することはなく、強度を必要とされないため、たとえば、周方向に溝状に凹んだ油溜まり３０を設けて、より多くの潤滑剤を保持することができるようにしてもよい。また、滑らかな断面Ｒ形状で内径側案内面１６ａ、１６ｂと、外径側案内面１７ａ、１７ｂとを連ねるようにして油溜まり３０を設けてもよい。
【００４７】
また、上記の実施の形態においては、内径側および外径側案内面を、その断面が円弧状となるように構成したが、これに限らず、平面であってもよい。図４は、この場合の円錐ころ軸受の一部を示す断面図であり、図１に対応する。図４を参照して、間座４１の両側の側面に設けられた内径側および外径側案内面４４ａ、４４ｂ、４５ａ、４５ｂは、それぞれ平面から構成されている。
【００４８】
このように構成することによっても、内径側または外径側案内面４４ａ、４４ｂ、４５ａ、４５ｂと隣接する２つの円錐ころ４２ａ、４２ｂとは、２つの線で接触することになる。したがって、内径側および外径側の角部４６ａ、４６ｂ、４７ａ、４７ｂと円錐ころ４２ａ、４２ｂとが接触することはなく、角部４６ａ、４６ｂ、４７ａ、４７ｂの破損等を防止することができる。また、上記と同様に、同じ側面に設けられた内径側および外径側案内面４４ａ，４４ｂ，４５ａ，４５ｂの間に、油溜まり４８を設けることにしてもよい。なお、この場合も、上記したように、円錐ころ４２ａが内径側案内面４４ａに接触する接触点をＳ’とし、Ｓ’と円錐ころ４２ａの中心軸線とを含む平面４９ａと、ＰＣＤ４３に接し、円錐ころ４２ａの中心軸線を含む平面４９ｂとのなす角度をθ’°とすると、４０°＜θ’°＜７０°とすることが好ましい。また、他の内径側案内面４４ｂおよび外径側案内面４５ａ，４５ｂについても、同様の関係を有するように構成することが好ましい。
【００４９】
なお、上記の実施の形態においては、間座の側面に設けられる内径側および外径側案内面は、その断面が、それぞれ一つの曲率半径、一つの曲率中心で構成されることにしたが、これに限らず、複数の円弧から構成されることにしてもよい。また、曲面と平面とを含んでいても構わない。
【００５０】
図５および図６は、この発明の一実施形態に係る円錐ころ軸受を主軸支持軸受７５として適用した、風力発電機の主軸支持構造の一例を示している。主軸支持構造の主要部品を支持するナセル７２のケーシング７３は、高い位置で、旋回座軸受７１を介して支持台７０上に水平旋回自在に設置されている。風力を受けるブレード７７を一端に固定する主軸７６は、ナセル７２のケーシング７３内で、軸受ハウジング７４に組み込まれた主軸支持軸受７５を介して、回転自在に支持されている、主軸７６の他端は増速機７８に接続され、この増速機７８の出力軸が発電機７９のロータ軸に結合されている。ナセル７２は、旋回用モータ８０により、減速機８１を介して任意の角度に旋回させられる。
【００５１】
軸受ハウジング７４に組み込まれた主軸支持軸受７５は、この発明の一実施形態に係る円錐ころ軸受であって、外輪と、内輪と、外輪および内輪の間で周方向に連ねて配置される複数の円錐ころと、隣接する円錐ころの間に配置され、ころピッチ円直径において隣接する円錐ころに当接する面の間隔が円錐ころの小径側端面から大径側端面に向かって徐々に大きくなっている複数の間座を含み、この複数の間座が互いに分離して設けられている間座型保持器とを備える。間座の両側の側面のうち、ころピッチ円直径よりも内径側および外径側には、隣接する円錐ころを案内する内径側案内面および外径側案内面が設けられている。ここで、内径側案内面または外径側案内面と円錐ころとは、２つの線で接触する。
【００５２】
主軸支持軸受７５は、大きな風力を受けるブレード７７を一端に固定する主軸７６を支持するため、大きな荷重がかかることになる。ここで、円錐ころを保持する保持器を分割型とし、上記のような構成とすると、円錐ころを円滑に転動させることができ、かつ、間座の破損を防止することができる。そうすると、風力発電機の主軸支持構造は、長寿命を実現することができる。
【００５３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５４】
この発明に係る円錐ころ軸受は、円錐ころを円滑に転動させることができ、かつ、間座の破損を防止することができるため、長寿命が要求される円錐ころ軸受に、有効に利用される。
【００５５】
また、この発明に係る間座は、円錐ころを円滑に転動させることができ、かつ、間座の破損を防止することができるため、長寿命が要求される円錐ころ軸受に含まれる間座に、有効に利用される。
【００５６】
また、この発明に係る風力発電機の主軸支持構造は、長寿命が要求される風力発電機の主軸支持構造に、有効に利用される。
【図面の簡単な説明】
【００５７】
【図１】円錐ころ軸受に備えられ、隣接する２つの円錐ころの間に配置される間座の拡大断面図である。
【図２】この発明の一実施形態に係る円錐ころ軸受に含まれる間座の斜視図である。
【図３】この発明の一実施形態に係る円錐ころ軸受を示す断面図である。
【図４】この発明の他の実施形態に係る円錐ころ軸受を示す拡大断面図である。
【図５】この発明に係る円錐ころ軸受を用いた風力発電機の主軸支持構造の一例を示す図である。
【図６】図５に示す風力発電機の主軸支持構造の図解的側面図である。
【図７】従来における保持器のポケット周辺を示す拡大断面図であり、案内面の円弧が、ころの円弧と同心円状のものである。
【図８】従来における保持器のポケット周辺を示す拡大断面図であり、案内面を構成する円弧の曲率中心が、ＰＣＤ上にあるものである。
【符号の説明】
【００５８】
１１，４１  間座、１２ａ，１２ｂ  側面、１３ａ  小径側端面、１３ｂ  大径側端面、１４ａ  外径面、１４ｂ  内径面、１５ａ  小径側突出部、１５ｂ  大径側突出部、１６ａ，１６ｂ，４４ａ，４４ｂ  内径側案内面、１７ａ，１７ｂ，４５ａ，４５ｂ  外径側案内面、１８，４３  ＰＣＤ、１９ａ，１９ｂ，２０ａ，２０ｂ，４６ａ，４６ｂ，４７ａ，４７ｂ  角部、２１  円錐ころ軸受、２２  外輪、２３  内輪、２４ａ，２４ｂ，４２ａ，４２ｂ  円錐ころ、２９ａ，２９ｂ，４９ａ，４９ｂ  平面、３０，４８  油溜まり、７０  支持台、７１  旋回座軸受、７２  ナセル、７３  ケーシング、７４  軸受ハウジング、７５  主軸支持軸受、７６  主軸、７７  ブレード、７８  増速機、７９  発電機、８０  旋回用モータ、８１  減速機。
【図１】
2007255569.tif 000003
【図２】
2007255569.tif 000004
【図３】
2007255569.tif 000005
【図４】
2007255569.tif 000006
【図５】
2007255569.tif 000007
【図６】
2007255569.tif 000008
【図７】
2007255569.tif 000009
【図８】
2007255569.tif 000010